(57)【要約】【課題】脚体の先端部に簡単に装着できるとともに、机や壁等を破損させる虞がない脚体用保護カバーの取付構造を提供すること。【解決手段】脚体１の先端上部には、上方に開口する凹部２２が凹設されているとともに、脚体１の先端下部には、接地部材５を取り付けるための取付支柱２１が嵌入可能な嵌入孔２５を下面に有し、かつ脚体１よりも幅狭な係合凸部２３が下方に向けて凸設されており、脚体１用保護カバー６は、内部が中空状をなす弾性材からなり、側面の一部に脚体１の先端部７を内部に挿通可能な挿通口１０を有し、挿通口１０から脚体１の先端部７を内部に向けて挿入することで脚体１の先端部７を被覆可能に構成されるとともに、脚体１の先端部７に装着した状態において凹部２２に嵌合する嵌合突起１３が内面上部から下向きに突設され、脚体１の先端部７に装着した状態において係合凸部２３に係合する係合穴１５が下部に形成されている。【選択図】図２
2008099838.tif 000002
【特許請求の範囲】
【請求項１】
家具を支持する支柱から複数延出される脚体の先端部に装着される脚体用保護カバーの取付構造であって、
前記脚体の先端上部には、上方に開口する凹部が凹設されているとともに、前記脚体の先端下部には、床面上に接地される接地部材を取り付けるための取付支柱が嵌入可能な嵌入孔を下面に有し、かつ前記脚体よりも幅狭な係合凸部が下方に向けて凸設されており、
前記脚体用保護カバーは、内部が中空状をなす弾性材からなり、側面の一部に前記脚体の先端部を内部に挿通可能な挿通口を有し、該挿通口から前記脚体の先端部を内部に向けて挿入することで該脚体の先端部を被覆可能に構成されるとともに、前記脚体の先端部に装着した状態において前記凹部に嵌合する嵌合突起が内面上部から下向きに突設され、前記脚体の先端部に装着した状態において前記係合凸部に係合する係合穴が下部に形成されていることを特徴とする脚体用保護カバーの取付構造。
【請求項２】
前記嵌入孔は、前記係合凸部の下面から前記脚体の上部まで貫通する上下方向を向く貫通孔として形成されており、
前記凹部は、前記貫通孔の上部にて構成されていることを特徴とする請求項１に記載の脚体用保護カバーの取付構造。
【請求項３】
前記脚体用保護カバーの内面と前記脚体の先端部の外形状とをほぼ同形にしたことを特徴とする請求項１または２に記載の脚体用保護カバーの取付構造。
【請求項４】
前記脚体用保護カバーはエラストマー材で構成されていることを特徴とする請求項１〜３のいずれかに記載の脚体用保護カバーの取付構造。
【発明の詳細な説明】
【技術分野】
【０００１】
本発明は、椅子等の家具を支持する支柱から複数延出される脚体の先端部に装着される脚体用保護カバーの取付構造に関する。
【背景技術】
【０００２】
従来、例えば家具の一例である椅子において、金属性または合成樹脂製の脚体が、座体を支持する支柱の下端部から放射状に複数延設されているものがある。このような椅子の脚体の先端部は、椅子の使用時に机や壁等に衝突することがあり、特にこのような脚体は金属や合成樹脂等により構成されているため、特に机や壁が木製であると損傷しやすいため、脚体の先端部に保護カバーを装着するようにしたものがある。
【０００３】
この種の保護カバーとしては、例えば、脚体の先端開口に被嵌可能に形成された合成樹脂製の保護カバーがある。具体的には、脚体の先端部には、上面にナットが固着された取付板が脚体の下面板上部に横回り不能に挿入されるとともに、該ナットの螺旋孔と同心円状の通孔が該取付板及び前記脚体の下面板に設けられている。一方、保護カバーの下面には、前記通孔と同心をなし、かつ該通孔よりも大径の通孔が形成されており、脚体の先端開口に嵌合した状態において前記取付板及び下面板の通孔と保護カバーの通孔とが同心をなすとともに、該保護カバーの通孔の下方からキャスターの取付ボルトを挿通してナットに螺入し、キャスターの支持本体とナットとの間に下面板と取付板とを締着することで、キャスターが脚体に固定されるとともに、保護カバーが脚体の先端開口に被嵌されるもの等がある（例えば、特許文献１参照）。
【０００４】
【特許文献１】実開昭６２−１０９６５２号公報（第１１頁、第１図）
【発明の開示】
【発明が解決しようとする課題】
【０００５】
しかしながら、上記特許文献１に記載の保護カバーにあっては、脚体の先端開口を被覆するための合成樹脂製の保護カバーであるため、机や壁等に衝突した際に破損する虞があった。また、保護カバーの通孔は、取付板及び脚体の下面板の通孔よりも大径であるため、脚体から抜け落ちることはないものの、がたつきが生じやすいといった問題がある。
【０００６】
さらに、保護カバーの通孔を、取付板及び脚体の下面板の通孔と同径とし、キャスターの支持本体とナットとの間に、下面板、取付板、保護カバーの底面とを共締めするようにした場合、強固に締め上げると保護カバーの底面が破損する虞があった。
【０００７】
本発明は、このような問題点に着目してなされたもので、脚体の先端部に簡単に装着できるとともに、机や壁等を破損させる虞がない脚体用保護カバーの取付構造を提供することを目的とする。
【課題を解決するための手段】
【０００８】
前記課題を解決するために、本発明の請求項１に記載の脚体用保護カバーの取付構造は、
家具を支持する支柱から複数延出される脚体の先端部に装着される脚体用保護カバーの取付構造であって、
前記脚体の先端上部には、上方に開口する凹部が凹設されているとともに、前記脚体の先端下部には、床面上に接地される接地部材を取り付けるための取付支柱が嵌入可能な嵌入孔を下面に有し、かつ前記脚体よりも幅狭な係合凸部が下方に向けて凸設されており、
前記脚体用保護カバーは、内部が中空状をなす弾性材からなり、側面の一部に前記脚体の先端部を内部に挿通可能な挿通口を有し、該挿通口から前記脚体の先端部を内部に向けて挿入することで該脚体の先端部を被覆可能に構成されるとともに、前記脚体の先端部に装着した状態において前記凹部に嵌合する嵌合突起が内面上部から下向きに突設され、前記脚体の先端部に装着した状態において前記係合凸部に係合する係合穴が下部に形成されていることを特徴としている。
この特徴によれば、脚体の先端部を挿通口から内部に挿入するだけで、脚体用保護カバーを簡単に装着できるとともに、装着した状態において、嵌合突起が凹部内に嵌合されるとともに、係合凸部が係合穴に係合されることで、脚体用保護カバーの上部及び下部が固定され、位置ずれが防止される。また、脚体用保護カバーは弾性材からなることで、伸縮性を利用することで装着しやすいばかりか、机や壁等が確実に保護される。
【０００９】
本発明の請求項２に記載の脚体用保護カバーの取付構造は、請求項１に記載の脚体用保護カバーの取付構造であって、
前記嵌入孔は、前記係合凸部の下面から前記脚体の上部まで貫通する上下方向を向く貫通孔として形成されており、
前記凹部は、前記貫通孔の上部にて構成されていることを特徴としている。
この特徴によれば、接地部材の取付支柱が嵌入される貫通孔を利用して脚体用保護カバーを取り付けることができるばかりか、嵌入孔及び凹部を１つの貫通孔で構成できるため、成形が容易になる。
【００１０】
本発明の請求項３に記載の脚体用保護カバーの取付構造は、請求項１または２に記載の脚体用保護カバーの取付構造であって、
前記脚体用保護カバーの内面と前記脚体の先端部の外形状とをほぼ同形にしたことを特徴としている。
この特徴によれば、脚体用保護カバーを脚体の先端部に装着した際に、該脚体用保護カバーの内面と脚体の先端部外面との密着性が高まるので、脚体用保護カバーが脚体の先端部から外れにくくなる。
【００１１】
本発明の請求項４に記載の脚体用保護カバーの取付構造は、請求項１〜３のいずれかに記載の脚体用保護カバーの取付構造であって、
前記脚体用保護カバーはエラストマー材で構成されていることを特徴としている。
この特徴によれば、伸張性及び伸縮性に優れているため、脚体用保護カバーを脚体の先端部に装着しやすいとともに、装着後には復元力により脚体の先端部外面に密着するので、保護カバーが脚体の先端部から外れにくくなる。
【発明を実施するための最良の形態】
【００１２】
本発明の実施例に基づいて以下に説明する。
【実施例】
【００１３】
本発明の実施例としての脚体用保護カバー及び該脚体用保護カバーが装着される家具の一例としての椅子を図面に基づいて説明すると、先ず図１は、本発明の実施例としての脚体用保護カバーが装着された椅子の全体像を示す斜視図であり、図２（ａ）は、椅子の脚体の先端部及び脚体用保護カバーとを斜め下方から見上げた状態を示す斜視図であり、図２（ｂ）は、椅子の脚体の先端部及び脚体用保護カバーとを斜め上方から見下ろした状態を示す斜視図であり、図３（ａ）は、脚体用保護カバーを示す正面図であり、図３（ｂ）は、図３（ａ）のＣ−Ｃ断面図であり、図３（ｃ）は、図３（ａ）のＤ−Ｄ断面図であり、図４は、脚体用保護カバーを脚体の先端部へ取り付けた状態を示す要部拡大縦断面図であり、図５は、図４のＥ−Ｅ断面図である。以下、図４の左側を脚体用保護カバーの正面側とし、図５の左右側を脚体用保護カバーの左右側として説明する。
【００１４】
図１には、家具の一例である椅子２が示されている。座体３を下方から支持する支柱４の下部からは、該支柱４を中心として複数本の脚体１が平面視略放射状に延設されているとともに、該各脚体１の先端部には、床面上を走行自在な接地部材の一例としてのキャスター５が取り付けられるキャスター取付部７（図２参照）が形成されており、該キャスター取付部７の下部にはキャスター５が取り付けられている。
【００１５】
各脚体１の本体部及びキャスター取付部７は合成樹脂材により一体的に構成されており、キャスター取付部７には、後述する脚体用保護カバー６（以下、保護カバー６と略称する）が該キャスター取付部７の外面１９（図２参照）を被覆するように装着され、壁や机に衝突した際において、脚体１及び壁や机等が保護されるようになっている。
【００１６】
保護カバー６は、エラストマー材により、図２（ａ）（ｂ）及び図３に示されるように、キャスター取付部７の上部及び側部外周面を覆う上側周面部８及び平坦な底部９によりドーム形状に形成されており、上側周面部８の一部には、キャスター取付部７を挿通可能な挿通口１０が形成されるとともに、内部には中空部１１が形成されている。すなわち、保護カバー６がキャスター取付部７に装着された状態において、キャスター取付部７の外面１９が保護カバー６により被覆されるように形成されている。
【００１７】
保護カバー６のカバー内面１２の最上部には、略円柱状の嵌合突起１３が下向きに突設されているとともに、この嵌合突起１３の下端における挿通口１０側には、上端から下端に向けて後方に傾斜するテーパー面１４が形成されている。
【００１８】
また、後述するように保護カバー６をキャスター取付部７に取り付ける際において、挿通口１０を拡開して装着しやすくするために、上側周面部８における挿通口１０の周縁部は、他の部分よりも肉厚が薄い薄肉部２６として形成されている。
【００１９】
保護カバー６の底部９には、上側周面部８のカバー内面１２に備えられた嵌合突起１３との対向位置に係合穴１５が形成されている。係合穴１５は、後述する脚体１の先端部下面に設けられた係合凸部２３の外周縁に嵌合する大きさに形成されているとともに、左右側部には直線部１６が形成されている。
【００２０】
また、このように中空状に形成された保護カバー６における上側周面部８のカバー内面１２は、脚体１の先端部に形成されたキャスター取付部７の外面１９とほぼ同形に形成されており、装着時において外面１９に密着するようになっている。
【００２１】
キャスター取付部７は、外面１９にくびれ部２０を有する流線型状に形成されており、その略中心位置には、キャスター５の取付支柱２１（図４参照）が嵌入される嵌入孔が、キャスター取付部７の上下方向に貫通する貫通孔２２により形成されている。また、貫通孔２２の孔上方部２４は、孔下方部２５よりも小径に形成されており、保護カバー６の嵌合突起１３が嵌合する凹部が孔上方部２４により形成されている。
【００２２】
キャスター取付部７の下面には、脚体１の下端面１８よりも下方に突出する係合凸部２３が形成されている。係合凸部２３は、その下面中央に貫通孔２２下部が形成されているとともに、該係合凸部２３の左右幅は、脚体１、詳しくはキャスター取付部７の左右幅よりも幅狭になるよう形成されている。また、係合凸部２３の左右辺部は直線部１７として形成されており、装着時において保護カバー６の係合穴１５の直線部１６と対向し、キャスター取付部７に対する保護カバー６の水平方向の回転が規制されるようになっている。
【００２３】
次に、キャスター取付部７に保護カバー６を装着する状況を図４及び図５に基づいて説明すると、先ず、キャスター取付部７にキャスター５が取り付けられていない状態で、保護カバー６の挿通口１０を脚体１の先端部側に向けた状態で、保護カバー６を支柱４側に向けて押し込み、保護カバー６の嵌合突起１３を貫通孔２２の孔上方部２４に嵌合させるとともに、保護カバー６の係合穴１５を、キャスター取付部７の下面に突設された係合凸部２３に嵌合させる。
【００２４】
このとき、嵌合突起１３の下端前面に形成されたテーパー面１４によって、嵌合突起１３は外面１９に引っ掛かかることなくスムースに貫通孔２２内に嵌合される。
【００２５】
また、保護カバー６は材質がエラストマーにより構成され、伸縮性を有することから、このような装着時において、挿通口１０を拡開するようにしてキャスター取付部７に嵌合させることができるばかりか、嵌合突起１３や係合穴１５を引っ張るようにして貫通孔２２や係合凸部２３に嵌合させることができるため、装着を容易に行うことができる。また、装着後において、エラストマーの復元力によりキャスター取付部７への密着性が高まるため、キャスター取付部７に対して保護カバー６の位置ずれが生じにくくなる。
【００２６】
最後に、貫通孔２２の孔下方部２５からキャスター５の取付支柱２１を圧入することで、保護カバー６及びキャスター５の取り付けが完了する。
【００２７】
以上説明したように、本発明の実施例としての保護カバー６は、脚体１の先端部であるキャスター取付部７を、挿通口１０から中空部１１内に挿入するだけで、保護カバー６を簡単に装着できるとともに、装着した状態において、嵌合突起１３が貫通孔２２の上部に嵌合されるとともに、係合凸部２３が係合穴１５に係合されることで、保護カバー６の上部及び下部が固定されるため、位置ずれ等が防止されるばかりか、キャスター取付部７の外面が弾性材からなる保護カバー６により被覆されるため、机や壁等の破損が効果的に防止される。
【００２８】
また、係合穴１５は、キャスター５の取付支柱２１が嵌入される貫通孔２２が内部に形成される係合凸部２３の外周縁部に係合され、取付支柱２１に直接係合することがないため、キャスター５の取付支柱２１の形状等に制限されることなく、キャスター取付部７に確実に係合される。
【００２９】
また、保護カバー６は、エラストマー材からなる弾性体であることで、保護カバー６自体が破損しにくくなるばかりか、机や壁及び脚体１の先端部等が確実に保護される。
【００３０】
また、工具やボルト等を使用することなく、貫通孔２２への嵌合突起１３の嵌合及び係合凸部２３への係合穴１５の係合だけで装着できるため、簡単な操作で装着できる。
【００３１】
また、装着時において、係合穴１５及び係合凸部２３双方の直線部１６、１７が係合することにより、係合凸部２３を中心とした保護カバー６の水平方向の回動が防止される。
【００３２】
また、キャスター取付部７のくびれ部２０を含む外面１９は保護カバー６のカバー内面１２とほぼ同形状となっていることで、双方の密着性が高まるため、保護カバー６が外れにくくなる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、保護カバー６をエラストマー製としたが、本発明はこれに限定されるものではなく、例えば軟質の樹脂、ゴム等の弾性材にて構成してもよい。
【００３５】
また、前記実施例では、貫通孔２２の上部に嵌合突起１３が嵌合されるようになっていたが、キャスター５の取付支柱２１が嵌入する嵌入孔と嵌合突起１３が嵌合される嵌合孔とをそれぞれ別個に形成してもよい。
【００３６】
また、前記実施例では、保護カバー６はドーム状に形成されていたが、装着した状態において脚体の先端部を被覆可能に形成されていれば、形状は種々に変形可能である。
【００３７】
また、前記実施例では、接地部材の一例としてキャスター５を適用していたが、例えば上下調整機能を有するアジャスタ等、床面上に固設される接地部材も適用可能である。
【００３８】
さらに、前記実施例では、家具の一例として椅子を適用し、該椅子２の脚体１に装着する保護カバー６を記載していたが、例えばテーブルの支柱から延設される脚体に装着する保護カバー等にも適用可能である。
【図面の簡単な説明】
【００３９】
【図１】本発明の実施例としての脚体用保護カバーが装着された椅子の全体像を示す斜視図である。
【図２】（ａ）は、椅子の脚体の先端部及び脚体用保護カバーとを斜め下方から見上げた状態を示す斜視図であり、（ｂ）は、椅子の脚体の先端部及び脚体用保護カバーとを斜め上方から見下ろした状態を示す斜視図である。
【図３】（ａ）は、脚体用保護カバーを示す正面図であり、（ｂ）は、図３（ａ）のＣ−Ｃ断面図、であり、（ｃ）は、図３（ａ）のＤ−Ｄ断面図である。
【図４】脚体用保護カバーを脚体の先端部へ取り付けた状態を示す要部拡大縦断面図である。
【図５】図４のＥ−Ｅ断面図である。
【符号の説明】
【００４０】
１                脚体
２                椅子
４                支柱
５                キャスター（接地部材）
６                保護カバー
７                キャスター取付部
８                上側周面部
９                底部
１０              挿通口
１１              中空部
１２              カバー内面
１３              嵌合突起
１４              テーパー面
１５              係合穴
１６、１７        直線部
２１              取付支柱
２２              貫通孔（嵌入孔、凹部）
２３              係合凸部
２６              薄肉部
【図１】
2008099838.tif 000003
【図２】
2008099838.tif 000004
【図３】
2008099838.tif 000005
【図４】
2008099838.tif 000006
【図５】
2008099838.tif 000007